(57)【要約】【課題】高精細な画像を得ることができるプラズマディスプレイおよびその駆動方法を提供する。【解決手段】ＰＤＰ１０は、前面基板１２および背面基板１４の間に、セル列が設けられる。前面基板１２には、表示電極２２が設けられる。前面基板１２の全面を覆う形に誘電体保護層２４が設けられる。背面基板１４には、アドレス電極２６が設けられる。隣り合うアドレス電極２６に対応する隣り合うセル列を分離、独立させる障壁２８が、セル列の数に対応して形成される。各セル列には、放電ガスが封入される。セル列の各セル１６に対応して、背面基板１４の裏面側にエキシマレーザ３０が設けられる。所定のセルにデータを入力するとき、エキシマレーザ３０を動作させて誘電体保護層２４から電子を発生させて、放電開始電圧を下げて所定の値の電位差で放電を開始させる。【選択図】      図６
2004241231.tif 000002
【特許請求の範囲】
【請求項１】
表示電極部を備える第１の透明基板と、アドレス電極を備える第２の透明基板とが、それぞれ電極を備える面が対向して配置され、セルに対応する放電空間ごとに分離する隔壁が該第１の透明基板および該第２の透明基板の間に設けられ、該放電空間に放電ガスが封入されてなるプラズマディスプレイにおいて、
該第１の透明基板および該第２の透明基板のうちのいずれか一方の基板を透過して該表示電極部に入射して、該表示電極部から該放電空間内に電子を放出することができる光源を各セルごとに備えてなることを特徴とするプラズマディスプレイ。
【請求項２】
表示電極部を備える前面基板と、アドレス電極を備える背面基板とが、それぞれ電極を備える面が対向して配置され、セルに対応する放電空間ごとに分離する隔壁が該前面基板および該背面基板の間に設けられ、該放電空間に放電ガスが封入されてなるプラズマディスプレイにおいて、
該背面基板を透過して該表示電極部に入射して、該表示電極部から該放電空間内に電子を放出することができる光源を各セルごとに備えてなることを特徴とするプラズマディスプレイ。
【請求項３】
前記表示電極部は、スキャン電極およびサスティン電極を有し、少なくとも該スキャン電極が誘電体層および該誘電体層を覆う保護層で覆われてなり、
該保護層から電子を放出するように構成してなることを特徴とする請求項１または２記載のプラズマディスプレイ。
【請求項４】
前記表示電極部は、表示電極を有し、
該表示電極または前記アドレス電極のうちの陰極とされる電極から電子を放出するように構成してなることを特徴とする請求項１または２記載のプラズマディスプレイ。
【請求項５】
前記保護層がＭｇＯを主成分として有することを特徴とする請求項３記載のプラズマディスプレイ。
【請求項６】
前記光源がエキシマレーザであることを特徴とする請求項１〜５のいずれか１項に記載のプラズマディスプレイ。
【請求項７】
前記セルが３色の蛍光体で塗り分けられ、カラー表示可能であることを特徴とする請求項１〜６のいずれか１項に記載のプラズマディスプレイ。
【請求項８】
アドレス期間に、対向する１対の電極部の間の電位差を放電開始電圧よりも低い所定の値に保つ工程と、
所定のセルにデータを入力するときに、所定のセルに対応する該１対の電極部のいずれか一方に光を照射して、該所定のセルの放電空間内に電子を放出させて、該所定の値の電位差で放電を開始させる工程と、
を有することを特徴とするプラズマディスプレイの駆動方法。
【請求項９】
前記１対の電極部が、アドレス電極を有する電極部と、スキャン電極およびサスティン電極を有し、少なくとも該スキャン電極が誘電体層および該誘電体層を覆う保護層で覆われてなる電極部とで構成され、
該保護層から電子を放出させることを特徴とする請求項８記載のプラズマディスプレイの駆動方法。
【請求項１０】
前記１対の電極部が、アドレス電極を有する電極部と、表示電極を有する電極部とで構成され、
該アドレス電極および該表示電極のうちの陰極とされる側の電極から電子を放出させることを特徴とする請求項８記載のプラズマディスプレイの駆動方法。
【発明の詳細な説明】
【０００１】
【発明の属する技術分野】
本発明は、プラズマディスプレイおよびその駆動方法に関する。
【０００２】
【従来の技術】
近年、ハイビジョンテレビのような高品位テレビが実用化されている。
【０００３】
そして、さらに、デジタルハイビジョン放送の普及とともに、ディスプレイのさらなる大画面化、高精細化の期待が高まっており、例えば、視覚特性を利用して４枚の画素ＬＣＤの画素ずらしによって垂直解像度４千本級を実現する液晶プロジェクタが検討されている（非特許文献１参照。）。しかしながら、一般的に、液晶を用いたディスプレイについては、高速応答性に欠けることに起因する動画の画質の低下等の非自発光性ディスプレイ特有の不具合がある。
【０００４】
一方、大画面化、高精細化に適し、かつ自発光性を有するディスプレイの１つとして、プラズマディスプレイ（プラズマディスプレイパネル：ＰＤＰ  以下、必要に応じてＰＤＰという。）の開発が進められており、既にハイビジョンテレビ級のＰＤＰが実用化されている。
【０００５】
このＰＤＰには、パネル構造の違いから直流（以下、ＤＣという。）型と交流（以下、ＡＣという。）型の２種類がある。前者のＤＣ型では電極が放電空間に露出しているのに対して、後者のＡＣ型では電極が誘電体および誘電体を保護する保護層で覆われている等の違いがある（例えば非特許文献２参照。）。
【０００６】
ＡＣ型ＰＤＰの場合、誘電体層上に壁電荷を生成し、ひとたび壁電荷が生じれば、放電開始電圧よりも低い電圧で放電を持続させることができ、これにより、多階調表示機能を可能としている。
【０００７】
一方、ＤＣ型ＰＤＰについても、維持パルス列を表示セルに連続して印加しながら、このパルスの幅、振幅および周期を、放電によって生じた準安定な粒子があると維持パルスにより再点弧し、なくなると再点弧しないように設定することで、電極の駆動方法のみによってメモリ機能を持たせることで多階調表示機能を可能としている（例えば、非特許文献３参照。）。
【０００８】
これらメモリ機能を有するＰＤＰを用いて多階調表示を行う場合、視覚積分効果を利用したフィールド内時分割表示法が好適に用いられている。
【０００９】
【非特許文献１】
ＮＨＫ技研Ｒ＆Ｄ，Ｎｏ．７４，ｐｐ４２−４７（２００２）
【００１０】
【非特許文献２】
Ｅｌｅｃｔｒｏｎｉｃ  Ｊｏｕｒｎａｌ  別冊，２０００ＦＰＤテクノロジー大全，
ｐ３９８
【００１１】
【非特許文献３】
電気通信学会誌，Ｊ７３−Ｃ−１１，村上他
【００１２】
【発明が解決しようとする課題】
しかしながら、上記した従来のＰＤＰは、以下の理由により、走査本数が４０００本を越える高精細化を実現することは困難である。
【００１３】
フィールド内時分割表示法による２５６階調表示を図１を参照して説明する。
【００１４】
図１は、１フィールドの時間占有の割合および順序の一例を示すものである。１フィールドは、８個のサブフィールド（１ＳＦ〜８ＳＦ）で構成され、各サブフィールドはリセット期間、アドレス期間および維持期間からなる一連の操作期間によって構成される。ここで、リセット期間は消去や予備放電等を行う期間であり、アドレス期間はＰＤＰセルに対してデータに応じた書き込み放電を促す期間であり、維持期間（表示期間）はアドレスされた予め決められた回数だけ維持放電を行い、視覚積分効果によって任意の発光強度を表現する期間である。
【００１５】
各サブフィールドでは、リセット期間およびアドレス期間については、同一長さの時間が割り当てられるが、維持期間については、１：２：４：８：１６：３２：６４：１２８の比率に設定されている。そして、これにより、８ビットデータの重み付けに対応したデータ書き込みを行うことで、２５６階調表示を行うことが可能となる。
【００１６】
ところで、現行のハイビジョン方式では、フィールド周波数が約５９．９４Ｈｚであり、言いかえると、１フィールドの時間は約１６．６８ｍｓである。このため、横方向（列方向）に複数配列されたアドレス電極を同時に駆動して横方向１ラインのセルに同時にデータ書き込みを行う線順次駆動方式を用いるとき、下記式（１）を満たしている必要がある。
【００１７】
2004241231.tif 000003
ここで、Ｔｐは各サブフィールドのリセット期間の総時間を、Ｔａは各サブフィールドのアドレス期間の総時間を、Ｔｓは各サブフィールドの維持期間の総時間を、Ｎｆはサブフィールド数を、Ｎｌはライン数を、Ｎｃは階調数を、ｔｐは１つのサブフィールドのリセット期間の時間を、ｔｒは１セルの応答時間を、ｆｓは維持パルス周波数を、それぞれ示す。
【００１８】
線順次駆動方式は、例えば図２に示すＡＣ型ＰＤＰの場合、水平方向（横方向）に伸びる、それぞれｎ本（上記Ｎｌに対応する。）のＳＣＮ（スキャン電極）線およびＳＵＳ（サスティン電極）線の対と、これらの電極と直交して、垂直方向（縦方向）に伸びる、ｍ本のＤＡＴＡ（データ電極：アドレス電極）線とで構成されるＰＤＰにおいて、図３に示すタイミングで各信号線に信号パルスを入力する方式である。
【００１９】
図３は、ＤＡＴＡ線の各列（ＤＡＴＡ１，２，…，ｍ）が同時に駆動されるときの任意の１つの列のＤＡＴＡ線に設けられた各行のＳＣＮ線（ＳＣＮ１，２，…，ｎ）および各行のＳＵＳ線（ＳＵＳ１，２，…，ｎ）の信号パターンを示すものである。
【００２０】
アドレス期間において、ＤＡＴＡを所定の電位Ｖｗｒｉに保つとともに、書き込みを行うセル行に対応する各ＳＣＮ（ＳＣＮ１，２，…，ｎ）に順次所定のパルス電位Ｖｓｃｎを与える。このとき、各ＳＵＳ（ＳＵＳ１，２，…，ｎ）は所定の電位Ｖｓｕｓに保つ。そして、ＤＡＴＡおよびＳＣＮの電位差（｜Ｖｗｒｉ−Ｖｓｃｎ｜）を放電開始電圧よりも大きな値に調整し、ＤＡＴＡおよびＳＵＳの電位差（｜Ｖｗｒｉ−Ｖｓｕｓ｜）ならびにＳＣＮおよびＳＵＳの電位差（｜Ｖｓｃｎ−Ｖｓｕｓ｜）を放電開始電圧よりも小さくなるように、各電位Ｖｗｒｉ、Ｖｓｃｎ、Ｖｓｕｓを設定することにより、任意のセルのみに書き込み放電を発生させることができる。
【００２１】
ついで、維持期間において、ＤＡＴＡを低電位に保つとともに、所定の周期で、各ＳＣＮ（ＳＣＮ１，２，…，ｎ９および各ＳＵＳ（ＳＵＳ１，２，…，ｎに同時にパルス電位Ｖｓｃｎおよびパルス電位Ｖｓｕｓを与え、発光状態を継続させる。
【００２２】
これにより、所定の列のＤＡＴＡの各ＳＣＮ（セル行）に同時に書き込みを行うことができる。
【００２３】
現行のディスプレイの標準的なケースとして、サブフィールド数（Ｎｆ）を８に、階調数（Ｎｃ）を２５６に、１セルの応答時間（ｔｒ）を１μｓに、それぞれ設定し、また、１つのサブフィールドのリセット期間の時間（ｔｐ）については、操作内容を消去放電のみとし、かつ、全画面同時操作を行ったとしても、操作に要する時間は１セルの応答時間を下回ることはできず、ｔｐ≧ｔｒとなるため、例えば１セルの応答時間と同じ１μｓとし、維持パルス周波数については、５０〜８３．３ｋＨｚ程度であるため、最大値の８３．３ｋＨｚを用いるとすると、駆動可能な最大ライン数Ｎｌ（ｍａｘ）は、下記式（２）で１７０４本と与えられる。
【００２４】
2004241231.tif 000004
この駆動可能な最大ライン数Ｎｌ（ｍａｘ）１７０４本は、高精細化に必要な本数である例えば４０００本の半分に満たない。また、上記式（２）では、維持期間における１階調分の発光時間を維持放電パルス（図３中、維持期間におけるＳＵＳ１，２，…，ｎの複数のパルスのうちの１つのパルス）１回分の残光を含む発光時間として計算しているが、現実には、発光輝度等の問題から１階調分の表現に数回分の維持放電パルスの発光時間を利用している場合もあり、このとき、維持パルス周波数を大きくすることにも困難を生じる。
【００２５】
この場合、例えば図４に示すように、ＰＤＰのそれぞれｎ本のＳＣＮ線およびＳＵＳ線を配置した２つのブロック（１〜ｎ本のＢｌｏｃｋ１、ｎ＋１〜２ｎ本のＢｌｏｃｋ２）を設け、かつ各ブロックごとにそれぞれｍ本のＤＡＴＡ線を上下反対方向に引き出した状態に形成し、図５に示すように２つのブロックを並列に走査する、デュアルスキャン方式を採用すると、駆動可能な最大ライン数は計算上、３４０８本となるが、４０００本を越えるレベルには至らない。なお、アドレス電極（ＤＡＴＡ）を平面的に引き出す方向は限られているため、ブロック数を３以上に増やすことは困難である。
【００２６】
一方、上記の２つのブロックを別々に製作した上で、これらのブロックを張り合わせて１つのＰＤＰとして形成することで、４０００本を越える走査本数のディスプレイを得る方式も提案されている。しかしながら、この場合には、各ブロック間の継ぎ目が画質の劣化を誘発する等の問題があり、高精細化の意義が失われる。
【００２７】
本発明は、上記の課題に鑑みてなされたものであり、高精細な画像を得ることができるプラズマディスプレイおよびその駆動方法を提供することを目的とする。
【００２８】
【課題を解決するための手段】
上記目的を達成するために、本発明に係るプラズマディスプレイは、表示電極部を備える第１の透明基板と、アドレス電極を備える第２の透明基板とが、それぞれ電極を備える面が対向して配置され、セルに対応する放電空間ごとに分離する隔壁が該第１の透明基板および該第２の透明基板の間に設けられ、該放電空間に放電ガスが封入されてなるプラズマディスプレイにおいて、該第１の透明基板および該第２の透明基板のうちのいずれか一方の基板を透過して該表示電極部に入射して、該表示電極部から該放電空間内に電子を放出することができる光源を各セルごとに備えてなることを特徴とする。
【００２９】
また、本発明に係るプラズマディスプレイは、表示電極部を備える前面基板と、アドレス電極を備える背面基板とが、それぞれ電極を備える面が対向して配置され、セルに対応する放電空間ごとに分離する隔壁が該前面基板および該背面基板の間に設けられ、該放電空間に放電ガスが封入されてなるプラズマディスプレイにおいて、該背面基板を透過して該表示電極部に入射して、該表示電極部から該放電空間内に電子を放出することができる光源を各セルごとに備えてなることを特徴とする。
【００３０】
また、本発明に係るプラズマディスプレイにおいて、前記表示電極部は、スキャン電極およびサスティン電極を有し、少なくとも該スキャン電極が誘電体層および該誘電体層を覆う保護層で覆われてなり、該保護層から電子を放出するように構成してなることを特徴とする。
【００３１】
また、本発明に係るプラズマディスプレイにおいて、前記表示電極部は、表示電極を有し、該表示電極または前記アドレス電極のうちの陰極とされる電極から電子を放出するように構成してなることを特徴とする。
【００３２】
本発明の上記の構成により、誘電体層または陰極から放出される電子によって放電開始にに要する電圧が確保され、従来のように１つの列のアドレス線（データ線）に対応する、交流駆動プラズマディスプレイにおける走査電極または直流駆動プラズマディスプレイにおける陰極（低電位側の電極）を行方向に走査して放電開始電圧を得る必要がないため、アドレス可能なライン数に制限がない。このため、ライン数を増加させることで画像が高精細化されるプラズマディスプレイを得ることができる。
【００３３】
この場合、前記保護層がＭｇＯを主成分として有すると、駆動源の電力消費量を低減することができる。
【００３４】
また、この場合、前記光源がエキシマレーザであると、対応するセルの保護層または陰極の近傍に、光電効果により、確実にかつ効率的に電子分布を生成することができる。
【００３５】
また、この場合、前記セルが３色の蛍光体で塗り分けられ、カラー表示可能であると、好適である。
【００３６】
また、本発明に係るプラズマディスプレイの駆動方法は、アドレス期間に、対向する１対の電極部の間の電位差を放電開始電圧よりも低い所定の値に保つ工程と、所定のセルにデータを入力するときに、所定のセルに対応する該１対の電極部のいずれか一方に光を照射して、該所定のセルの放電空間内に電子を放出させて、該所定の値の電位差で放電を開始させる工程と、を有することを特徴とする。
【００３７】
また、本発明に係るプラズマディスプレイの駆動方法は、前記１対の電極部が、アドレス電極を有する電極部と、スキャン電極およびサスティン電極を有し、少なくとも該スキャン電極が誘電体層および該誘電体層を覆う保護層で覆われてなる電極部とで構成され、該保護層から電子を放出させることを特徴とする。
【００３８】
また、本発明に係るプラズマディスプレイの駆動方法は、前記１対の電極部が、アドレス電極を有する電極部と、表示電極を有する電極部とで構成され、該アドレス電極および該表示電極のうちの陰極とされる側の電極から電子を放出させることを特徴とする。
【００３９】
本発明の上記の構成により、、従来のように１つの列のアドレス線（データ線）に対応する、交流駆動プラズマディスプレイにおける走査電極または直流駆動プラズマディスプレイにおける陰極（低電位側の電極）を行方向に走査して放電開始電圧を得る必要がないため、アドレス可能なライン数に制限がない。このため、ライン数を増加させることで画像が高精細化されるプラズマディスプレイを得ることができる。
【００４０】
【発明の実施の形態】
本発明に係るプラズマディスプレイおよびその駆動方法の好適な実施の形態（以下、本実施の形態例という。）について、図を参照して、以下に説明する。
【００４１】
まず、本実施の形態例に係る交流駆動プラズマディスプレイについて、図６および図７を参照して説明する。図６は交流駆動プラズマディスプレイの組立て分解概略部分斜視図を、図７（ａ）は図６の交流駆動プラズマディスプレイの１つのセルに対応する構成部分の構造を説明するための斜視図を、図７（ｂ）は図６の交流駆動プラズマディスプレイの１つのセルに対応する構成部分の構造を説明するためのセルの延出方向からみた図を、それぞれ示す。
【００４２】
本実施の形態例に係る交流駆動プラズマディスプレイの基本的な構造は、放電ガスの発光色を表示する交流駆動プラズマディスプレイと同様である。
【００４３】
すなわち、本実施の形態例に係る交流駆動プラズマディスプレイ１０は、図３に示すように、前面基板（第１の透明基板）１２および背面基板（第２の透明基板）１４からなる１対の基板が平行に配置される。前面基板１２は、画像を視認する側、すなわち、発光が放出される側の基板である。前面基板１２および背面基板１４の間には、複数のセル列２１が形成され、各セル列は、画素に対応する放電空間である複数のセル１６に構成される。前面基板１２および背面基板１４は、例えばガラス材料で形成される。
【００４４】
前面基板１２には、走査電極１８および維持電極２０からなる１対の電極で構成される表示電極２２が設けられる。走査電極１８および維持電極２０は、それぞれ、平行に多数配置されるセル列２１の配列方向全体を覆う長さを有するストライプ状に形成され、相互に平行に配置される。１つのセル列２１は、直交する走査電極１８および維持電極２０に対応する多数のセル１６を構成する。表示電極２２は、走査線（ＳＣＮ線）の数に対応する数が平行に配列される。表示電極２２は、誘電体層で覆われ、さらに保護層で覆われる。なお、誘電体層および保護層は、表示電極２２の走査電極１８のみを覆うように設けてもよい。図６および図７では、誘電体層および保護層は誘電体保護層２４として一括して表示しており、また、誘電体保護層２４は表示電極２２を設けた部分を含む前面基板１２の全面を覆う形に設けられる。
【００４５】
走査電極１８は、可視光に対して透明な、例えば、酸化スズ、ＩＴＯ等の材料で形成される。維持電極２０は、低抵抗な、例えば、銀、銅、アルミニウム等の材料で形成される。誘電体層は、例えば、低融点ガラス材料で形成される。保護層は、駆動電力を低減する観点から、好ましくは、ＭｇＯを主成分とする材料で形成される。
【００４６】
背面基板１４には、アドレス電極２６が設けられる。アドレス電極２６は、平行に配列された各表示電極２２の全体を覆う長さを有するストライプ状に形成される。アドレス電極２６は、画像の走査線方向に設けられるセル１６の数に対応する数が平行に配列される。アドレス電極２６は、好ましくは、ＩＴＯ等の透明金属材料で形成される。また、アドレス電極２６は、例えば、銀、銅、アルミニウム等の材料で形成してもよい。
【００４７】
前面基板１２および背面基板１４の間には、隣り合うアドレス電極２６に対応する隣り合うセル列２１、２１を分離、独立させる障壁（リブ）２８が、セル列２１の数に対応して形成される。障壁は、例えば、感光性ガラス材料で形成される。各セル列２１には、放電ガスが封入される。放電ガスは、Ｎｅ、Ｘｅ等のガス、あるいは、これらの混合ガス等が用いられる。
【００４８】
本実施の形態例に係る交流駆動プラズマディスプレイ１０の上記の各構成部分は、通常の交流駆動プラズマディスプレイの作製方法により作製することができる。なお、電気回路等については、通常の交流駆動プラズマディスプレイの回路構造を適用できるため、説明を省略している。
【００４９】
本実施の形態例に係る交流駆動プラズマディスプレイ１０は、さらに、エキシマレーザ３０が各セル１６に対応して、背面基板１４の裏面側に（各図中、下側）例えば背面基板１４に近接して設けられる。各エキシマレーザ３０は、例えば、適宜の筐体３２に収容され、マトリクス状に配置される。各エキシマレーザ３０は、それぞれ、照射方向を対応するセル１６に向け、セル１６のアドレス電極２６を透過して誘電体保護層２４に光が照射されるように調整される。但し、不透明なアドレス電極を用いるときは、アドレス電極を避けて障壁２８との間を透過させる。エキシマレーザ３０で生成する光束の径が例えば１０μｍ程度であるのに対してセル１６の幅が例えば１００μｍ程度であるため、照射された光が目的のセルの隣のセルに漏れ込むことがない。エキシマレーザ３０は、生成する光（図６および図７中、下から上に向けて伸びる白抜き矢印で示す。）の波長が誘電体保護層２４の保護層における光電子放出限界波長よりも短いものを選択して用いる。このようなエキシマレーザ３０として、例えば、ＸｅＣｌ（波長：３０８ｎｍ）やＫｒＦ（波長：２４８ｎｍ）等を用いることができる。
【００５０】
以上説明した本実施の形態例に係る交流駆動プラズマディスプレイ１０の駆動方法について、図８および図９を参照して説明する。
【００５１】
ＰＤＰ１０は、図８に示すように、それぞれ行方向にｐ本のＳＣＮ（スキャン電極）線およびＳＵＳ（サスティン電極）線と、列方向にｑ本のＤＡＴＡ（データ電極：アドレス電極）線とが直交して配列される。なお、図８中、記号ＬＳはエキシマレーザを示す。
【００５２】
マトリクス状に構成されるＳＣＮおよびＤＡＴＡの交差箇所に対応する各セルの発光状態および非発光状態の２つの状態は、以下の作用で設定される。図９には、１つのセルに対応する各信号線のパターンを示す。
【００５３】
アドレス期間において、所定の１または複数の行のＳＣＮあるいは全ての行ＳＣＮには、通常のＰＤＰと同様に所定のパルス電位Ｖｓｃａｎを与える。一方、ＤＡＴＡに印加する電圧は、ＳＣＮの電圧との電位差が放電開始電圧以下である一定の電位Ｖｂｉａｓに保つ。すなわち、このときのＳＣＮとＤＡＴＡとの間の電位差（│Ｖｓｃａｎ−Ｖｂｉａｓ│）は、通常のＰＤＰにおけるＳＣＮとＤＡＴＡとの間の電位差（│Ｖｓｃａｎ−Ｖｗｒｉ│）よりも十分に小さな値である。したがって、このままでは、セルは非発光状態にある。
【００５４】
そこで、セルに入力するデータが１のときにのみ、ＳＣＮのパルス電位Ｖｓｃａｎに合わせて、プラズマレーザ（ＬＳｉ，ｊ（ｉ＝１〜ｐ、ｊ＝１〜ｑ））からの光を背面基板およびアドレス電極を介して誘電体保護層にパルス照射（ＯＮ）する。このとき、プラズマレーザからの光（光子）は、保護層において光電効果を起こすのに十分な波長の光であるため、保護層付近に保護層から放出される電子の分布が生成する。そして、この電子の存在により、放電開始電圧が下げられ、セルは発光状態となる。これにより、データが１である所定の１または複数のセルあるいは全てのセルを同時に発光させることができる。
【００５５】
なお、維持期間では、先に図３に示した通常のＰＤＰの場合と同様の信号パターンとする。
【００５６】
本実施の形態例に係るＰＤＰにおいて印加する各電圧は、ＰＤＰの各部材の条件によって異なるが、例えば、アドレスギャップ長１５０ｎｍのＰＤＰセルにおいて、放電ガスとしてＮｅ−Ｘｅ（５％）を用い、５００Ｔｏｒｒ（６６．５ｋＰａ）の圧力条件下では、エキシマレーザの光を照射しないときの放電開始電圧は通常のＰＤＰと同様の２００〜５００Ｖ程度であり、例えば５ｍＷの出力のエキシマレーザの光を照射することで、放電開始電圧を１０〜２０Ｖ程度下げることができる。
【００５７】
上記のセルの放電機構は、通常のＰＤＰで必要なＳＣＮの走査を伴わず、ＳＣＮには、データ書き込み時には常に所定の電位Ｖｓｃａｎが与えられ、また、ＤＡＴＡにも常に所定の電位Ｖｂｉａｓが与えられており、データを入力するセルに光（光子）を入射することでそのセルを発光状態とするため、ＤＡＴＡ線を共有するセルについても並列的にデータ入力を行うことができる。
【００５８】
本実施の形態例に係る交流駆動プラズマディスプレイおよびその駆動方法によれば、アドレス可能なライン数（ＳＣＮ走査線の数）に制限がない。このため、ライン数を増加させることで画像が高精細化される交流駆動プラズマディスプレイを得ることができる。
【００５９】
また、誘電体層に光を照射する光源としてエキシマレーザを用いるため、誘電体層に光電効果により効率的に電子を生成することができ、また、書き込みを行うセルと隣り合う書き込みを行わないセルに無用な光漏れを生じることがない交流駆動プラズマディスプレイを容易に得ることができる。なお、光源として、エキシマレーザに変えて、例えばフォトダイオード等の他の素子を用いてもよい。
【００６０】
また、本実施の形態例に係る交流駆動プラズマディスプレイは、セル（あるいは前面基板）が３色の蛍光体で塗り分けられ、カラー表示可能であると、好適である。
【００６１】
つぎに、本実施の形態例に係る直流駆動プラズマディスプレイについて、図１０を参照して説明する。図１０（ａ）は直流駆動プラズマディスプレイの１つのセルに対応する構成部分の構造を説明するための斜視図を、図１０（ｂ）は図１０（ａ）の構成部分をセルの延出方向からみた図を、それぞれ示す。
【００６２】
本実施の形態例に係る直流駆動プラズマディスプレイ（以下、ＰＤＰという。）の基本的な構造は、放電ガスの発光色を表示する直流駆動プラズマディスプレイと同様である。
【００６３】
すなわち、本実施の形態例に係るＰＤＰは、図１０に示すように、前面基板（第１の透明基板）３２および背面基板（第２の透明基板）３４からなる１対の基板が平行に配置される。前面基板３２は、画像を視認する側、すなわち、発光が放出される側の基板である。前面基板３２および背面基板３４の間には、画素に対応する放電空間であるセル３６が、画素の数に対応して設けられる。前面基板３２および背面基板３４は、例えばガラス材料で形成される。
【００６４】
前面基板３２には、障壁（リブ）３３で分離して、独立に形成される各セル列ごとセル列の延出方向に伸びる、この場合陰極とされるアドレス電極３８が設けられる。アドレス電極３８は、各セル列ごとに複数平行に配列される。セル列は、画素に対応する複数のセル３６を構成する。アドレス電極３８は、可視光に対して透明な、例えば、酸化スズ、ＩＴＯ等の材料で形成される。
【００６５】
背面基板３４には、アドレス電極３８に対応して各セル列ごとに、この場合陽極とされる表示電極４０が設けられる。但し、表示電極４０は、セル列内において、上下方向視野でアドレス電極３８と重ならない位置に設けられる。したがって、表示電極４０は、好ましくは、ＩＴＯ等の透明金属材料で形成するが、これに限らず、例えば、銀、銅、アルミニウム等の材料で形成してもよい。
【００６６】
セル列から引き出された表示電極３８を、配列された各アドレス電極３８の配列方向の全体にわたって接続するように、陽極接続電極（バス電極）４２が、表示電極３８と交差して複数配列される。
【００６７】
上記ＰＤＰは、前記したＰＤＰ１０と同様に、エキシマレーザ３０が各セル３６に対応して、背面基板３４の裏面側に設けられる。各エキシマレーザ３０は、それぞれ、照射方向を対応するセル３６に向け、セル１６のアドレス電極４０の側方を通過して表示電極３８に光が照射されるように調整される。
【００６８】
以上説明した本実施の形態例に係る直流駆動プラズマディスプレイの駆動方法について、図１１および図１２を参照して説明する。
【００６９】
ＰＤＰは、図１１に示すように、それぞれ行方向にｒ本のＡ線（表示電極接続線）と、列方向にｓ本のＣ線（アドレス電極線）とが直交して配列される。各Ａ線には交差するＣ線ごとに表示電極（陽極）が設けられる。なお、図１１中、記号ＬＳはエキシマレーザを示す。
【００７０】
各セルの発光状態および非発光状態の２つの状態は、前記したＰＤＰ１０の場合と同様の作用で設定される。
【００７１】
なお、Ｃ線（アドレス電極）のパルス電位は、アドレス期間における電位Ｖｂｉａｓ１よりも維持期間における電位Ｖｂｉａｓ２の方が小さな値に設定される。また、同様に、Ａ線（表示電極）のパルス電位は、アドレス期間における電位Ｖｓｃａｎ１よりも維持期間における電位Ｖｓｃａｎ２の方が小さな値に設定される。
【００７２】
これにより、ＰＤＰ１０の場合と同様に、Ｃ線を共有するセルについても並列的にデータ入力を行うことができる。
【００７３】
本実施の形態例に係る直流駆動プラズマディスプレイおよびその駆動方法によれば、前記した本実施の形態例に係る交流駆動プラズマディスプレイおよびその駆動方法の場合と同様の作用効果を得ることができる。
【００７４】
【発明の効果】
本発明に係るプラズマディスプレイによれば、表示電極部を備える第１の透明基板と、アドレス電極を備える第２の透明基板とが、それぞれ電極を備える面が対向して配置され、セルに対応する放電空間ごとに分離する隔壁が第１の透明基板および第２の透明基板の間に設けられ、放電空間に放電ガスが封入されてなるプラズマディスプレイにおいて、第１の透明基板および第２の透明基板のうちのいずれか一方の基板を透過して該表示電極部に入射して、表示電極部から該放電空間内に電子を放出することができる光源を各セルごとに備えてなるため、または、表示電極部を備える前面基板と、アドレス電極を備える背面基板とが、それぞれ電極を備える面が対向して配置され、セルに対応する放電空間ごとに分離する隔壁が前面基板および背面基板の間に設けられ、放電空間に放電ガスが封入されてなるプラズマディスプレイにおいて、背面基板を透過して表示電極部に入射して、表示電極部から放電空間内に電子を放出することができる光源を各セルごとに備えてなるため、アドレス可能なライン数に制限がない。このため、ライン数を増加させることで画像が高精細化されるプラズマディスプレイを得ることができる。
【００７５】
また、本発明に係るプラズマディスプレイによれば、光源がエキシマレーザであるため、光電効果により確実にかつ効率的に書き込み対象のセルに電子分布を生成することができ、また、書き込みセルに隣り合う書き込みを行わないセルに無用の光漏れを生じることがないプラズマディスプレイを容易に得ることができる。
【００７６】
また、本発明に係るプラズマディスプレイの駆動方法によれば、アドレス期間に、対向する１対の電極部の間の電位差を放電開始電圧よりも低い所定の値に保つ工程と、所定のセルにデータを入力するときに、所定のセルに対応する１対の電極部のいずれか一方に光を照射して、所定のセルの放電空間内に電子を放出させて、所定の値の電位差で放電を開始させる工程と、を有するため、アドレス可能なライン数に制限がない。このため、ライン数を増加させることで画像が高精細化されるプラズマディスプレイを得ることができる。
【図面の簡単な説明】
【図１】フィールド内時分割表示法を説明するための１フィールドの各期間を示す図である。
【図２】従来のＰＤＰの電極および配線の配置を説明するための図である。
【図３】図２のＰＤＰの各電極への電圧印加タイミングを示す図である。
【図４】デュアルスキャンを行うことができるＰＤＰの電極および配線の配置を説明するための図である。
【図５】図４のＰＤＰの各電極への電圧印加タイミングを示す図である。
【図６】本実施の形態例に係る交流駆動型ＰＤＰの概略構成を示す組立て分解部分斜視図である。
【図７】図６のＰＤＰの１つのセル単位の概略構成を説明するためのものであり、（ａ）はセル単位の斜視図であり、（ｂ）はセル単位をセルが延出する方向から見た図である。
【図８】図６のＰＤＰの電極および配線の配置を説明するための図である。
【図９】図８のＰＤＰの各電極への電圧印加タイミングを示す図である。
【図１０】本実施の形態例に係る直流駆動型ＰＤＰの１つのセル単位の概略構成を説明するためのものであり、（ａ）はセル単位の斜視図であり、（ｂ）はセル単位をセルが延出する方向から見た図である。
【図１１】図１０のＰＤＰの電極および配線の配置を説明するための図である。
【図１２】図１１のＰＤＰの各電極への電圧印加タイミングを示す図である。
【符号の説明】
１０  交流駆動プラズマディスプレイ
１２、３２  前面基板
１４、３４  背面基板
１６、３６  セル
１８  走査電極
２０  維持電極
２２、４０  表示電極
２４  誘電体保護層
２６、３８  アドレス電極
２８、３３  障壁
３０  エキシマレーザ
【図１】
2004241231.tif 000005
【図２】
2004241231.tif 000006
【図３】
2004241231.tif 000007
【図４】
2004241231.tif 000008
【図５】
2004241231.tif 000009
【図６】
2004241231.tif 000010
【図７】
2004241231.tif 000011
【図８】
2004241231.tif 000012
【図９】
2004241231.tif 000013
【図１０】
2004241231.tif 000014
【図１１】
2004241231.tif 000015
【図１２】
2004241231.tif 000016